(57)【特許請求の範囲】
【請求項１】
前面に表示面を有する表示装置を、表示面側筐体およびその表示装置の背面を保護する背面筐体により収納する表示装置構造であって、
第１の補強板平面部と第２の補強板平面部を有し、その間に補強板立上り部を設けることにより当該第１の補強板平面部と第２の補強板平面部に段差を設けた第１の補強板と第２の補強板を備え、
前記表示装置の背面を保護する前記背面筐体の保護面の形状は、第１の筐体平面部を間にしてその両側にそれぞれ筐体立上り部を介して当該第１の筐体平面部とそれぞれ段差を設けた第２の筐体平面部を有する形状からなり、
前記背面筐体の第１の筐体平面部の内面側と一方の第２の筐体平面部の内面側に、第1の補強板の第1の補強板平面部と第２の補強板平面部を、第1の筐体平面部の内面側と他方の第２の筐体平面部の内面側に、第２の補強板の第１の補強板平面部と第２の補強板平面部を、各補強板立上り部と背面筐体の筐体立上り部との間にそれぞれ間隔を空けた状態で固定することにより、各補強板を背面筐体に取り付けたことを特徴とする表示装置構造。
【請求項２】
背面筐体の第１の筐体平面部の両側に位置する第２の筐体平面部および筐体立上り部を、その第１の筐体平面部を間にして略左右対称に設けたことを特徴とする請求項１記載の表示装置構造。
【請求項３】
背面筐体に各補強板が取り付けられ状態では、各筐体立上り部と補強板立上り部とが略平行になるようにしたことを特徴とする請求項１又は請求項２記載の表示装置構造。
【請求項４】
各筐体立上り部と補強板立上り部との間隔は、第１の筐体平面部の内面側と各第２の筐体平面部の内面側との段差より大きく、かつ、前記段差の２倍以下であることを特徴とする請求項１から請求項３のいずれかに記載の表示装置構造。
【請求項５】
前記表示装置を制御する制御回路基板を、表示装置と背面筐体の第１の筐体平面部との間で、かつ、その背面筐体にそれぞれ取り付けられた補強板の間に配置したことを特徴とする請求項１から請求項４のいずれかに記載の表示装置構造。
【発明の詳細な説明】
【技術分野】
【０００１】
本発明は、携帯型情報処理装置などの平板状表示装置を有する電子機器の表示装置構造に関するものである。
【背景技術】
【０００２】
近年、液晶表示装置などの平板状表示装置を有するノートパソコンのような携帯型情報処理装置において、その携帯性を高めるため、装置自体の薄型・軽量化が進んでいる。
【０００３】
一方では、携帯型情報処理装置の機械的強度の向上も要求されている。特に液晶表示装置などは衝撃を受けた場合に破損しやすいため、液晶表示装置が収納される背面筐体に強度が要求される。このため、背面筐体の強度を確保させるための構造が工夫されている。
【０００４】
図３は、従来の表示装置構造の外観を示す斜視図、図４は、その断面図である。図において、２１は液晶表示装置、２２は液晶表示装置２１の表示面側筐体、２３は液晶表示装置２１の背面筐体、２４は、液晶表示装置２１のバックライトのためのインバータなどの制御回路基板である。背面筐体２３は、平面部２３ａと段差を有する平面部２３ｂとの間に立上り部２３ｃを設け、平面部２３ｂと立上り部２３ｃを平面部２３ａの左右に配置することにより、中央部を凸状に隆起させている。そして、インバータなどの制御回路基板２４は液晶表示装置２１と背面筐体２３によって形成された空間に配置収納される。
【０００５】
上記構成とすることにより、背面筐体２３の基本肉厚を薄くした場合でも、外力に対しての耐久力を向上させ、軽量化を図ることができる。
【０００６】
なお、背面筐体の形状を工夫した表示装置構造に関する特許文献としては下記のものがある。
【特許文献１】特開２０００−３１１０３４号公報
【発明の開示】
【発明が解決しようとする課題】
【０００７】
このような上記従来の表示装置構造においては、下記に挙げる課題があった。
【０００８】
（１）平面部に段差を設けることにより、背面筐体の強度は増加しているが、筐体の薄肉化による軽量化といった観点から、今後は、ますます強度が低下していく方向にあるため、さらなる強度アップが必要である。
【０００９】
（２）背面筐体全体としての強度は確保されるが、意匠的な観点から段差間をある程度広く取る必要があり、背面筐体の中央部が特に図３における筐体の平面部上方（Ａ方向）からの外力によって局所的に押圧された場合、背面筐体が内側にたわむという現象が生じる。これによって、中央部に形成された空間に配置された制御回路基板等を加圧し、これらがさらに内部の液晶表示装置へ荷重を加えてしまうことになる。また、インバータなどの制御回路基板にはトランス・コイルなど、加圧により壊れてしまう部品が実装されており、この際にこれらの部品の破壊等とあわせて、液晶表示装置内にある部品同士の摩擦を引き起こし、部品を損傷させてしまうことになる。
【００１０】
（３）背面筐体がダイカストなどの場合、段差の立上り部の肉厚のみ増加させて補強させる方法もあるが、肉厚の差が大きいと、湯流れのバランスが崩れ、成形できなくなる。また、背面筐体が金属板のプレス加工などの場合には、部分的な肉厚補強を実施することができない。また、いずれにしてもそのまま肉厚を厚くして強度を増そうとする場合、背面筐体の重量が大きくなり、携帯型情報処理装置の薄型・軽量化の方向に反することになる。
【００１１】
本発明は、背面筐体の重量増を少なくしつつ、局所的な外力にも強く、液晶表示装置と背面筐体との間に配置されたインバータなどの制御回路基板や液晶表示装置内にある部品を保護することが可能な表示装置構造を提供することを目的とする。
【課題を解決するための手段】
【００１２】
この課題を解決するために本発明の表示装置構造は、表示装置を、表示面側筐体とその表示装置の背面を保護する背面筐体により収納する表示装置構造であって、第１の補強板平面部と第２の補強板平面部を有し、その間に補強板立上り部を設けることにより両平面部に段差を設けた補強板を備え、前記背面筐体は、第１の筐体平面部を間にしてその両側にそれぞれ筐体立上がり部を介して当該第１の筐体平面部とそれぞれ段差を設けた第２の筐体平面部を有する形状からなり、前記背面筐体の第１の筐体平面部とその両側の第２の筐体平面部のそれぞれの内面側に、第１と第２の補強板のそれぞれ第１の補強板平面部と第２の補強板平面部を、補強板立上り部と背面筐体の筐体立上がり部との間にそれぞれ間隔を空けた状態で固定し、背面筐体に補強板を取り付けたものである。
【発明の効果】
【００１３】
本発明の表示装置構造によれば、筐体のより薄肉化により軽量化を狙っていく際に、課題となる背面筐体の強度低下を防いで、より強い構造とし、インバータなどの制御回路基板に実装された加圧に弱い部品や液晶表示装置内にある部品に荷重が加わることを防ぎ、保護することができるという有利な効果が得られる。
【発明を実施するための最良の形態】
【００１４】
本発明は、前面に表示面を有する表示装置を、表示面側筐体およびその表示装置の背面を保護する背面筐体により収納する表示装置構造であって、第１の補強板平面部と第２の補強板平面部を有し、その間に補強板立上り部を設けることにより当該第１の補強板平面部と第２の補強板平面部に段差を設けた第１の補強板と第２の補強板を備え、前記表示装置の背面を保護する前記背面筐体の保護面の形状は、第１の筐体平面部を間にしてその両側にそれぞれ筐体立上り部を介して当該第１の筐体平面部とそれぞれ段差を設けた第２の筐体平面部を有する形状からなり、前記背面筐体の第１の筐体平面部の内面側と一方の第２の筐体平面部の内面側に、第1の補強板の第1の補強板平面部と第２の補強板平面部を、第1の筐体平面部の内面側と他方の第２の筐体平面部の内面側に、第２の補強板の第１の補強板平面部と第２の補強板平面部を、各補強板立上り部と背面筐体の筐体立上り部との間にそれぞれ間隔を空けた状態で固定することにより、各補強板を背面筐体に取り付けたことを特徴とする表示装置構造であり、補強板立上り部と筐体立上り部との間に間隔を空けた状態で、背面筐体に補強板を取り付けることによって背面筐体の強度を大きくできるという作用を有する。
【００１５】
また、本発明は、背面筐体の第２の筐体平面部および筐体立上り部が第１の筐体平面部の両側でこの背面筐体の略左右対称の位置に設けられ、そして、補強板がそれぞれ取り付けられていることを特徴とするもので、背面筐体にねじれなどの応力が生じにくい。
【００１６】
また、本発明は、筐体立上り部と補強板立上り部とが略平行になるように補強板が背面筐体に取り付けられることを特徴とするもので、筐体立上り部を均一に補強することができるという作用を有する。
【００１７】
さらに、本発明は、筐体立上り部と補強板立上り部との間隔は、第１の筐体平面部の内面側と第２の筐体平面部の内面側との段差より大きく、かつ、その段差の２倍以下であることを特徴とするもので、背面筐体平面部上方、すなわち、後方側に隆起された凸状部に加わる外力に強いという作用を有する。
【００１８】
また、本発明は、表示装置を制御する制御回路基板をその表示装置と背面筐体の第１の筐体平面部との間で、かつ、その背面筐体にそれぞれ取り付けられた補強板の間に配置したことを特徴とし背面筐体のたわみが少なく、制御回路基板の保護とともに、表示装置内にある部品も保護することができるという作用を有する。
【００１９】
以下に、本発明の実施の形態を図１から図２を用いて説明する。
【００２０】
（実施の形態１）
図１は、本発明の一実施の形態の表示装置構造を示す分解斜視図、図２は断面図である。図において、１は液晶表示装置、２は液晶表示装置１の表示面側筐体で、液晶表示面部分は開口となっている。３は液晶表示装置１の背面側に位置して外力から液晶表示装置１等を保護するための背面筐体、４は、液晶表示装置１のバックライトのためのＦＬ管（図示せず）へ電流を供給するインバータなどの制御回路基板である。５は補強板で、背面筐体３を補強する役割をもっている。補強板５は、背面筐体３の筐体立上り部３ｃの内面側と補強板立上り部５ｃとの間に間隔Ｌ１を空けてそれぞれ背面筐体に取り付けられている。
【００２１】
背面筐体３は、軽量化と強度の面からマグネシウム合金等の成形品が使用され、略矩形状をしており、筐体平面部３ａを間に略平行な段差を有する筐体平面部３ｂがそれぞれ筐体立上り部３ｃを経て左右対称の位置に設けられている。また、補強板５の配置位置は、間隔Ｌ１が筐体平面部３ａの内面側と筐体平面部３ｂの内面側との段差Ｌ２より大きく、且つ段差Ｌ２の２倍以下であることが強度上望ましい。また、筐体平面部３ａと筐体平面部３ｂに段差を設ける筐体立上り部３ｃの傾斜は、筐体平面部３ａまたは筐体平面部３ｂの平面に対して４５〜９０°が、成形性と強度の面で望ましい。最適な数値は、表示装置構造の全体の大きさ、厚み、重量、強度の面等から決定される。
【００２２】
補強板５は、背面筐体３の筐体平面部３ａおよび筐体平面部３ｂの内面側にそれぞれ補強板平面部５ａおよび補強板平面部５ｂが固定される。これにより、補強板平面部５ａと補強板平面部５ｂとに段差を形成する補強板立上り部５ｃは、背面筐体３の筐体立上り部３ｃと略平行となる。
【００２３】
そして、インバータなどの制御回路基板４は筐体立上り部３ｃが補強板５によって補強されたスペース、すなわち、表示装置１と背面筐体３の筐体平面部３ａとの間で、かつ、その背面筐体３にそれぞれ取り付けられた補強板５の間に配置収納されている。
【００２４】
以上のように構成された本実施の形態の表示装置構造について説明する。
【００２５】
背面筐体３は、筐体立上り部３ｃがそれぞれ補強板５により補強されるため、面強度は従来口構造に比べ大幅にアップしている。特に筐体立上り部３ｃ近傍は強固となっている。これにより、背面筐体の平面部上方（図１の矢印Ｂ方向）から外力を加えてもたわみはほとんど生じない。このため、表示装置１と筐体平面部３ａとの間に、加圧に弱い部品を実装しているインバータなどの制御回路基板４等を配置しても、制御回路基板４等が加圧され変形して表示装置１に荷重が加わるということがなく、制御回路基板４自身に実装された加圧に弱い部品や、表示装置１内の部品に破壊・キズ等を発生させることもない。
【００２６】
また、筐体立上り部３ｃおよび補強板５が背面筐体３の左右対称の位置に設けられているため、背面筐体３にねじれなどの応力が生じにくい。
【００２７】
このように、背面筐体の筐体立上り部と補強板との間に間隔（空間）を設けることにより、補強板によるわずかな重量増はあるが、重量増に比較して背面筐体の大幅な強度の向上を図ることができる。
【００２８】
なお、本実施の形態では、背面筐体をマグネシウム合金等の成形品としたが、材質を特に限定するものではなく、成形品ではなく、金属板のプレス加工であってもよい。
【産業上の利用可能性】
【００２９】
本発明の表示装置構造は、より筐体の薄肉化による軽量化を狙っていく際に、課題となる背面筐体の強度について、補強板により強度低下を防いで、より強い構造とし、加圧に弱い部品が実装された制御回路基板や表示装置内にある部品に荷重が加わることを防ぎ、保護することができ、携帯型情報処理装置などの平板状表示装置を有する電子機器の表示装置構造として有用である。
【図面の簡単な説明】
【００３０】
【図１】本発明の一実施の形態の表示装置構造を示す分解斜視図
【図２】本発明の一実施の形態の表示装置構造の断面図
【図３】従来の表示装置構造の外観を示す斜視図
【図４】従来の表示装置構造を示す断面図
【符号の説明】
【００３１】
１  液晶表示装置
２  表示面側筐体
３  背面筐体
３ａ、３ｂ  筐体平面部
３ｃ  筐体立上り部
４  制御回路基板
５  補強板
５ａ、５ｂ  補強板平面部
５ｃ  補強板立上り部
【図１】
0004682620.tif 000002
【図２】
0004682620.tif 000003
【図３】
0004682620.tif 000004
【図４】
0004682620.tif 000005